(57)【要約】【課題】マッサージ対象部位に対して多様なマッサージ効果を付与する。【解決手段】モータ１２による出力軸１３Ａの回転に応じて、緩衝材２１を膨出変形動作させ、又は偏心回転部材３８、３９を偏心回転動作させ、又はマッサージ部材６０を回転動作させ、又はマッサージ回転盤９０の周面及びその隆起部を、押圧・摺接動作させることにより、マッサージ対象部位を必要に応じて柔かく、硬く、強く、弱くマッサージ効果を付与することができる。【選択図】図３
2015000163.tif 000002
【特許請求の範囲】
【請求項１】
押圧部本体のケース内に収納されたモータの回転を減速機構によって減速して押圧動作室に突出する出力軸に出力し、
上記出力軸に固着された偏心回転盤を有する偏心回転盤部を上記押圧動作室に形成し、
上記押圧動作室と隣接するように上記ケースに穿設された突出開口に押圧突出部が装着され、
上記押圧突出部は上記偏心回転盤部の上記偏心回転盤の偏心回転動作と干渉して上記突出開口から外方に膨出変形する緩衝材を有し、当該緩衝剤の膨出変形動作によってマッサージ対象部位に対して押圧マッサージ効果を付与する
ことを特徴とするマッサージ装置。
【請求項２】
押圧部本体のケース内に収納されたモータの回転を減速機構によって減速して押圧動作室に突出する出力軸に出力し、
上記出力軸に固着された偏心回転部材を有する押圧動作部を上記押圧動作室に形成し、
上記押圧動作部は上記押圧動作室と隣接するように上記ケースに穿設された突出開口に摺動自在に装着された突出押圧部を有し、当該突出押圧部に上記偏心回転部材が係合しながら偏心回転動作をすることにより上記突出押圧部が上記突出開口内を往復摺動動作し、その結果上記突出押圧部がマッサージ対象部位に対して押圧マッサージ効果を付与する
ことを特徴とするマッサージ装置。
【請求項３】
押圧部本体のケース内に収納されたモータの回転を減速機構によって減速して押圧動作室に突出する出力軸に出力し、
上記出力軸に歯車機構を介して結合された押圧機構部を上記押圧動作室に形成し、
上記押圧機構部は上記押圧動作室と隣接するように上記ケースに突設された突出開口にマッサージ部材を回転自在に装着する構成を有し、上記出力軸の回転に応じて上記マッサージ部材を回転動作させることにより当該マッサージ部材の回転範囲についてマッサージ対象部位に対して押圧・摺接マッサージ効果を付与する。
ことを特徴とするマッサージ装置。
【請求項４】
押圧部本体のケース内に収納されたモータの回転を減速機構によって減速して上記ケースから外部に突出する出力軸に出力し、
上記出力軸にマッサージ回転盤を固着し、
上記マッサージ回転盤は、上記出力軸の回転に応じて、周面が偏心動作することによってマッサージ対象部位に対して押圧・摺接マッサージ効果を付与し、又は当該周面に形成された隆起部が上記マッサージ対象部位に対して押圧・摺接効果を付与する
ことを特徴とするマッサージ装置。
【発明の詳細な説明】
【技術分野】
【０００１】
本発明はマッサージ装置に関し、特に頭ないし顔の任意のマッサージ対象部位を揉みほぐす際に適用して好適なものである。
【背景技術】
【０００２】
従来、頭や顔をマッサージするマッサージ装置として、多種多様な構成のものが提案されている。
【０００３】
例えば、頭のマッサージについては、特許文献１、２及び３が提案されており、顔のマッサージについては、特許文献４が提案されている。
【先行技術文献】
【特許文献】
【０００４】
【特許文献１】実開昭６１−５７９２６
【特許文献２】特開昭６３−２８８１５８
【特許文献３】特開平３−６０６６８
【特許文献４】特開昭６０−２１７５８
【発明の概要】
【発明が解決しようとする課題】
【０００５】
頭の天部前後、両側面、首両筋や、顔の両眉間、両目頭、両目、両こめかみ、両顎、両頬に疲労部分がある場合、各部分について好適な柔かさ、硬さ、ソフト感などで揉みほぐすことができるようなマッサージ装置を提供することができれば、当該マッサージ装置を利用するユーザの実生活の改善に実効性があると考えられる。
【０００６】
本発明は以上の点を考慮してなされたもので、頭ないし顔のマッサージ対象部位を適切に揉みほぐすことができるようなマッサージ装置を提案しようとするものである。
【課題を解決するための手段】
【０００７】
かかる課題を解決するため本発明においては、請求項１について、ケースの突出開口に設けられた押圧突出部を偏心回転盤の偏心回転動作と干渉する緩衝材を出力軸の回転に応じて膨出変形動作させることによってマッサージ対象部位に対して押圧マッサージ効果を付与する。
また請求項２について、突出開口に装着された突出押圧部を出力軸の回転に応じて偏心回転部材の偏心回転動作に係合させて往復摺動動作させることによって押圧マッサージ効果を付与する。
さらに請求項３について、突出開口に回転自在に装着したマッサージ部材を出力軸の回転に応じて回転動作せることにより当該マッサージ部材の回転範囲について押圧・摺接マッサージ効果を付与する。
さらに請求項４について、出力軸の回転に応じてマッサージ回転盤の周面を偏心動作させ又は当該周面に形成された隆起部を摺接させることにより押圧・摺接マッサージ効果を付与する。
【発明の効果】
【０００８】
本発明によれば、モータによる出力軸の回転に応じて、緩衝材を膨出変形動作させ、又は偏心回転部材を偏心回転動作させ、又はマッサージ部材を回転動作させ、又はマッサージ回転盤の周面及びその隆起部を押圧・摺接動作させることにより、マッサージ対象部位を必要に応じて柔かく、硬く、強く、弱くマッサージ効果を付与することができる。
【図面の簡単な説明】
【０００９】
【図１】本発明の実施の形態でなるマッサージ装置の全体構成を示す斜視図である。
【図２】その押圧部本体３Ａ、３Ｂの設定位置の説明に供する斜視図である。
【図３】図１の押圧部本体３Ａ及び３Ｂの詳細構成を示す斜視図である。
【図４】図３の押圧突出部２３の詳細構成を示す断面図である。
【図５】図４の押圧突出部のマッサージ動作の説明に供する略線的断面図である。
【図６】第１の実施の形態の変形例を示す斜視図である。
【図７】図６の押圧突出部の説明に供する断面図である。
【図８】図６の偏心回転盤部の変形例を示す略線図である。
【図９】図６の偏心回転盤部の変形例を示す略線的側面図である。
【図１０】偏心回転部１６の変形例を示す側面図である。
【図１１】第２の実施の形態の押圧部本体３Ａ、３Ｂを示す断面図である。
【図１２】第３の実施の形態による押圧部本体を示す断面図である。
【図１３】図１２の押圧部動作の説明に供する断面図である。
【図１４】第４の実施の形態による押圧部本体３Ａ、３Ｂを示す断面図である。
【図１５】図１４の押圧力形成用プーリの説明に供する略線図である。
【図１６】第５の実施の形態を示す断面図である。
【図１７】図５の押圧機構部６０の詳細構成を示す側面図である。
【図１８】図１７のターンテーブル６０Ａの変形例を示す側面図である。
【図１９】第６の実施の形態による押圧部本体３ＡＸ、３ＢＸを示す断面図である。
【図２０】図１９の押圧機構部６０の詳細構成を示す側面図である。
【図２１】図２０の変形例を示す側面図である。
【図２２】第７の実施の形態の押圧部本体を示す側面図である。
【図２３】図２２のマッサージ回転盤９０の構成を示す側面図である。
【図２４】図２２のマッサージ回転盤の変形例を示す側面図である。
【図２５】図１４の他の実施の形態を示す断面図である。
【図２６】他の実施の形態を示す略線図である。
【発明を実施するための形態】
【００１０】
以下図面について、本発明の実施の形態を詳述する。
【００１１】
（１）第１の実施の形態
（１−１）全体構成
図１において、１は全体としてマッサージ装置を示し、装着ベルト２に対して摺動自在に一対の押圧部本体３Ａ及び３Ｂが設けられている。
【００１２】
装着ベルト２は、断面が長方形状で、全体として馬蹄形状を有し、両先端部２Ａ及び２Ｂ間の中間部に、長手方向に断面長方形状の案内孔２Ｃが形成され、案内孔２Cによって案内させるように押圧部本体３Ａ及び３Ｂのケース部を貫通することにより、押圧部本体３Ａ及び３Ｂが装着ベルト２の中央部位置（図１に示す状態）から装着ベルト２の先端部２Ａ及び２Ｂの位置（図２に示す状態）に移動させることにより一対の押圧部本体３Ａ及び３Ｂを互いに対向させながら、装着ベルト２上に位置決めできるようになされ、その結果マッサージ対象（すなわち頭又は顔）のマッサージ対象部位を、弾力性をもって、挟むように位置決めできるようになされている。
【００１３】
この実施の形態の場合、装着ベルト２の構成材料は、金属材料、合成樹脂材料、ゴム材料、布材料、皮革材料、不織布材料のうちのいずれか又はこれらの混成材料、（例えば合成樹脂材料）に選定されている。
【００１４】
押圧部本体３Ａ（及び３Ｂ）は、図３に示すよう、長方立体形状のケース１１内に、モータ室１２のモータの回転を、減速室１３の減速機構によって減速して押圧動作室１４に突出する出力軸１３Aを介して出力するようになされている。
【００１５】
この実態の形態の場合、押圧部本体３A及び３Bのモータ室１２のモータは直流モータでなり、それぞれコード４B及び４Bを介して制御操作子５を有する電源操作部６によって起動操作される。
【００１６】
当該モータの出力軸の回転は減速室１３を構成する遊星歯車によって減速されてゆっくりとした回転数で出力軸１３Aを回転駆動するようになされている。
【００１７】
押圧動作室１４には、図４に示すように、減速室１３の出力軸１３Ａに結合された回転軸１５に固着された円形の偏心回転盤１６Aを有する偏心回転盤部１６が形成されている。
【００１８】
ケース１１の偏心回転盤部１６と対向する側面板部１１Aには突出開口１１Ｂが穿設され、当該突出開口１１Ｂ内に柔軟材料の塊でなる緩衝材２１と、当該緩衝材２１の外周面を囲むカバー層材２２でなる押圧突出部２３が形成されている。
【００１９】
その結果、矢印ａ１で示すように、偏心回転盤１６Ａが偏心した回転軸１５を中心として回転したとき、偏心回転盤１６Ａは緩衝材２１を外方に押しながら通過することにより、カバー層材２２が矢印ｂ１に示すように突出開口１１Ｂから外側に突出動作をする。
【００２０】
かくして、偏心回転盤１６Ａが緩衝材２１の内面から離間している状態から緩衝材２１内を通り始めると、押圧突出部２３のカバー層材２２が外方に膨出して行き、その後偏心回転盤１６Ａが緩衝材２１を通り抜けて行くことにより、押圧突出部２３が、矢印ｂ２で示すように、元の状態に戻るような動作をする。
【００２１】
かくして、図５に示すように、押圧突出部２３がマッサージ対象部位に当接した状態において、押圧突出部２３は偏心回転盤１６Ａが一回転する毎に外部に膨出した後に、元に戻る動作をすることにより、マッサージ対象部位をあたかも指先で押すような押圧によるマッサージ動作（これを１点押しマッサージ動作と呼ぶ）を行うことになる。
【００２２】
図１ないし図５の構成において、ユーザがマッサージ操作をする際に、装着ベルト２の先端部２Ａ及び２Ｂが顔又は頭を挟むようにマッサージ装置１を設定した後、一対の押圧部本体３Ａ及び３Ｂを中央位置から先端部２Ａ及び２Ｂの方向に摺動させて、顔又は頭のマッサージをすべきマッサージ対象部位に押圧突出部２３を当てた状態を得る。
【００２３】
この状態において、制御操作子５を操作することによりモータ室１２のモータに電源を供給すると、減速室１３の減速機構を介してゆっくりとした回転速度で押圧動作室１４の偏心回転盤部１６の偏心回転盤１６Ａを回転させる。
【００２４】
このとき、押圧突出部２３は偏心回転盤１６Ａの回転に応じて緩衝材２１を介して間欠的に外部に膨出動作をすることにより、マッサージ対象部位に対してゆっくりとした周期で比較的大きな押圧力を付与する。
【００２５】
このとき、一対の押圧部本体３Ａ及び３Ｂが顔又は頭を挟むような態様で押圧力を与えることにより、ユーザはあたかも指で疲労部分をマッサージするような感触で、マッサージ対象部位に対して適正なマッサージ効果を付与することができる。
【００２６】
（１−２）第１の実施の形態の変形例
（１−２−１）長面４点押し
図６は、第１の実施の形態の変形例を示すもので、図３との対応部分に同一符号を付して示すように、この場合の押圧部本体３Ａ（３Ｂ）は、偏心回転盤部１６として、減速室１３の出力軸１３Ａに連結する偏心回転盤部１６の回転軸１５に、４段の偏心回転盤１６Ｂ１、１６Ｂ２、１６Ｂ３及び１６Ｂ４が回転軸１５の延長方向に順次配列するように取り付けられている。
【００２７】
この実施の形態の場合、ケース１１には、モータ室１２に対する駆動源として、電池室３１の電池が設けられ、これによりモータ室１２の直流モータが駆動される。
【００２８】
偏心回転盤部１６を構成する４個の偏心回転盤１６Ｂ１、１６Ｂ２、１６Ｂ３及び１６Ｂ４は、図８に示すように、減速室１３の出力軸１３Ａに連結された回転軸１５に対して、偏心角度が順次３６０〔°〕÷４の角度だけ少しづつずらすような角度位置に取り付けられている。
【００２９】
これにより、図７に示すように、出力軸１３Ａ、従って回転軸１５が一回転する間において、偏心回転盤１６Ｂ１、１６Ｂ２、１６Ｂ３及び１６Ｂ４がマッサージ対象部位に対して、４個の偏心回転盤１６Ｂ１〜１６Ｂ４に対応する長さの比較的長い面（これを長面という）のマッサージ施術範囲ＳＭに対して、順次押圧動作をする。
【００３０】
かくして、押圧部本体３Ａ及び３Ｂは、図３の場合より一段と広いマッサージ施術範囲ＳＭに対して、偏心回転盤１６Ｂ１、１６Ｂ２、１６Ｂ３及び１６Ｂ４による押圧マッサージ処理を行うことができる。
【００３１】
この場合は特に、４つの偏心回転盤１６Ｂ１、１６Ｂ２、１６Ｂ３、１６Ｂ４が時間の経過に従って順次緩衝材２１に対する突出位置を移動して行くことにより、押圧突出部２３は、装着ベルト２の延長方向に、縦方向に、押圧位置を順次移動行くことになり、この結果、マッサージ対象部位に対して１点押しマッサージ動作を縦方向に広げるような４点押しマッサージ効果を得ることができる。
【００３２】
（１−２−２）交互４点押し
図９は図８の変形例を示すもので、この場合４枚の偏心回転盤１６Ｂ１〜１６Ｂ４の偏心角度が、２つづつ分けて割り当てられ、回転偏心盤１６Ｂ１及び１６Ｂ２並びに１６Ｂ３及び１６Ｂ４相互間の偏心角度が互いに１８０〔°〕異なるように設定されている。
【００３３】
さらに、２枚の偏心回転盤１６Ｂ３及び１６Ｂ４の偏心角度が互いに１８０〔°〕相違すると共に、第３の偏心回転盤１６Ｂ３の偏心角度位置は第２の偏心回転盤１６Ｂ２に対して１８０〔°〕異なるように設定されている。
【００３４】
図９の偏心回転盤部１６によれば、４枚の偏心回転盤１６Ｂ１ないし１６Ｂ４によるマッサージ施術範囲ＳＭにおいて、マッサージ対象部位に対するマッサージ範囲を２つに分けて、当該２つに分けた各部分において押圧突出部２３によって縦方向に交互に揉みほぐすような４点マッサージ効果を実現できる。
【００３５】
（１−２−３）振動マッサージ付加
図１０（Ａ）は、さらに他の変形例を示すもので、図９との対応部分に同一符号を付して示すように、偏心回転盤部１６の回転軸１５の根本側端及び先端に、それぞれ横型振動歯車３１Ａ及び３１Ｂを設ける。
【００３６】
この横型振動歯車３１Ａ及び３１Ｂは、外表面の歯車部に質量が不均一になるような質量の付加加工がされており、これにより出力軸１５と一体に回転したとき、外周面の質量付加の不均等に基づいて、当該回転軸１５に細かい振動を与える。
【００３７】
かくして図１０（Ａ）の構成によれば、偏心回転盤部１６は４枚の偏心回転盤１６Ｂ１及び１６Ｂ２並びに１６Ｂ３及び１６Ｂ４によって押圧突出部２３に周期的に突出力を付与することにより、１点ないし複数点押しマッサージ効果を得ることに加えて、当該突出力に振動を付加することにより、マッサージ対象部位に対して振動を与えるようなバイブレーションマッサージ効果を実現できる。
【００３８】
図１０（Ｂ）は図１０（Ａ）の横型振動歯車３１Ａ及び３１Ｂに代えて、回転軸１５の先端に縦型振動歯車３２を設けた構成を有する。
【００３９】
この縦型振動歯車３２は、円盤の表面に、質量分布が、円周方向について不均一になるような凹凸加工を形成したもので、これにより縦型振動歯車３２が回転軸１５と一体に回転したとき、回転軸１５に対して放射方向の振動を与える。
【００４０】
従って図１０（Ｂ）の場合においても、図１０（Ａ）について上述したと同様に、１点ないし複数点押しマッサージ効果に加えてバイブレーションマッサージ効果を実現できる。
【００４１】
（２）第２の実施の形態
図１１（Ａ）は第２の実施の形態を示すもので、図８との対応部分に同一符号を付して示すように、押圧部本体３Ａ及び３Ｂの減速室１３の出力軸１３Ａに対して偏心回転機構３５を設ける。
【００４２】
偏心回転機構３５は、出力軸１３Ａの先端に同軸状に結合された円板状の偏心変換部材３６を有し、当該偏心変換部材３６の先端側表面に偏心連結軸３７が固着されている。
【００４３】
偏心連結軸３７は偏心変換部材３６の中心から外周方向に偏心した位置に出力軸１３Ａと平行になるように突出した状態に配置され、その先端に円板状の同軸円板部材３８が取り付けられている。
【００４４】
かくして出力軸１３Ａが回転したとき、偏心連結軸３７は、出力軸１３Ａを中心として、偏心変換部材３６上の中心から偏心した位置を通って回転する。
【００４５】
同軸円板部材３８は、図４について上述したように、当該偏心量に応じて押圧突出部２３の緩衝材２１に当接したときこれを突出開口１１Ｂを介して外方に押圧する。
【００４６】
この結果、押圧突出部２３は偏心回転機構３５の同軸円板部材３８の回転に応じて、外方に押圧力を生じることにより、マッサージ対象部位に対して１点押しマッサージ効果を実現する。
【００４７】
図１１（Ｂ）は図１１（Ａ）に対する変形例を示し、図１１（Ａ）との対応部分に同一符号を付して示すように、偏心連結軸３７に対して円板部材でなる偏心円板部材３９を取り付けた構成を有する。
【００４８】
偏心円板部材３９は偏心連結軸３７の先端に同中心位置から外方に偏心した位置に取り付けられており、これにより偏心回転部材３６が回転したとき、出力軸１３Ａに対して偏心連結軸３７が偏心している偏心量に加えて、当該偏心連結軸３７に対する偏心円板部材３９の偏心量の分だけ、偏心円板部材３９が遊星運動をすることにより、偏心円板部材３９が緩衝材２１に当接した時、さらに大きな押圧力をマッサージ対象部位に与えることができる。
【００４９】
これにより、図１１（Ｂ）の構成によれば、簡易な構成によって一段と大きな押圧力をマッサージ対象部位に与えることができる１点押しマッサージ効果を実現する。
【００５０】
（３）第３の実施の形態
図１２は第３の実施の形態を示すもので、図６との対応部分に同一符号を付して示すように、押圧部本体３Ａ及び３Ｂのケース１１には、減速室１３の出力軸１３Ａの先端に押圧動作部４０が設けられている。
【００５１】
押圧動作部４０はケース１１の内部に突出開口１１Ｂに対して摺動自在に配設された突出押圧部４１を有する。
【００５２】
突出押圧部４１は、出力軸１３Ａの先端に固着された偏心回転部材４２を係合孔４３内に挿入させることにより、偏心回転部材４２の回転に応じて突出押圧部４１を摺動動作させる。
【００５３】
突出押圧部４１は、偏心回転部材４２の偏心先端が上方に向く回転位置にあるとき、図１３（Ａ）に示すように、偏心回転部材４２の偏心先端が係合孔４３の上方内面を押し上げることにより、突出押圧部４１を突出開口１１Ｂ内に取り込む状態に位置決めする。
【００５４】
この状態から偏心回転部材４２が矢印ｃ１で示すように回転することにより、突出押圧部４１の偏心先端が係合孔４３の下方内面位置に当接する状態になると、図１３（Ｂ）に示すように、偏心回転部材４２の偏心先端によって突出押圧部４１を下方に押し下げることにより、突出押圧部４１の下端部４１Ａをケース１１の突出開口１１Ｂから外方に突出させる。
【００５５】
その後偏心回転部材４２がさらに回転すると、偏心回転部材４２の偏心先端の摺接位置が係合孔４３の上側位置に移動して行くことにより、突出押圧部４１が図１３（Ａ）について上述した元の位置に戻って行く。
【００５６】
かくして図１２の構成によれば、減速室１３の出力軸１３Ａの回転に従って突出押圧部４１の下端部４１Ａがマッサージ対象部位を押圧する状態と、押圧から離間する状態とを繰り返すことにより、マッサージ対象部位に対して押圧マッサージ効果を実現する。
【００５７】
この実施の形態の場合、突出押圧部４１の係合孔４３の下端部４１Ａ側の端部に温度調整部材４４が設けられている。
【００５８】
この温度調整部材４４は加温板又は冷却板で構成され、これにより突出押圧部４１がマッサージ対象部位に当接するとき、当該マッサージ対象部位を加温又は冷却することによりマッサージ施術条件を一段と改善できる。
【００５９】
（４）第４の実施の形態
図１４は第４の実施の形態を示すもので、図３との対応部分に同一符号を付して示すように、押圧部本体３Ａ及び３Ｂのケース１１には、減速室１３の出力軸１３Ａの先端に押圧動作部５０の回転軸５１が連接されている。
【００６０】
この回転軸５１には押圧力形成用プーリ５２が設けられており、当該押圧力形成用プーリ５２が、出力軸１３Ａとケース１１に形成された軸受５３との間に装架されて減速室１３の出力軸１３Ａの回転に応じて回転するようになされている。
【００６１】
ケース１１から押圧力を導出する突出開口１１Ｂには、緩衝材料でなる押圧部材５４が保持部材５５によって突出開口１１Ｂに対して摺動自在に、出し入れできるように保持されている。
【００６２】
保持部材５５は、ケース１１の突出開口１１Ｂの周囲に設けられたスプリング５１によって、根本部５５Ａが軸受５３の外側に当接する状態に偏倚されている。
【００６３】
この状態の保持部材５５に対して、押圧力形成用プーリ５２の外表面が突出開口１１Ｂの方向に押圧した時、保持部材５５がスプリング５６の偏倚に抗して突出開口１１Ｂから外側に押し出される。
【００６４】
かくして押圧部材５４の外表面が、突出開口１１Ｂに対向しているマッサージ対象部位に当接することにより押圧力を与える。
【００６５】
この実施の形態の場合、押圧力形成用プーリ５２の外表面には、図１５に示すように、１回転の角範囲に３種類の押圧力形成面５２Ａ、５２Ｂ及び５２Ｃが形成され、これにより押圧力形成用プーリ５２の表面が１回転に亘って保持部材５５に当接したとき、第１の角範囲Ｗ１において大きく外方に高くなった押圧力形成面５２Ａによって保持部材５５が強い押圧力で押圧部材５４を、外方に押圧する。
【００６６】
また、押圧力形成面５２Ａに続く角範囲Ｗ２において凹所を通って大きく外方に高くなった押圧力形成面５２Ｂによって保持部材５５が強い押圧力で押圧部材５４を外方に押圧する。
【００６７】
さらに、押圧力形成面５２Ｂに続く角範囲Ｗ３において大きく内方に低くなった押圧力形成面５２Ｃによって保持部材５５が弱い押圧力で押圧部材５４を外方に押圧する。
【００６８】
この実施の形態の時、当該１回転の間に、押圧力形成面５２Ａによって１秒間強い押圧力を形成し、続いて押圧力形成面５２Ｂによって２秒間強い押圧力で押圧し、続いて押圧力形成面５２Ｃによって３秒間弱い押圧力で押圧するようなマッサージ装置を実現する。
【００６９】
（５）第５の実施の形態
（５−１）全体構成
図１６は第５の実施の形態を示すもので、この場合の押圧部本体３ＡＸ及び３ＢＸは、手持ちのケース１１Ｘ内に図３について上述したモータ室１２及び減速室１３と同様の構成のモータ室１２Ｘ及び減速室１３Ｘを有し、これにより減速室１３Ｘから出力軸１３ＡＸを導出している。
【００７０】
ケース１１Ｘの先端部には、出力軸１３ＡＸに対して直角方向横方向に設けられた突出開口１１ＢＸを通って押圧機構部６０が設けられている。
【００７１】
押圧機構部６０は、図１７に示すようなターンテーブル６０Ａを有する。
【００７２】
ターンテーブル６０Ａの上面中心位置には、回転軸６０Ｂが設けられ、当該回転軸６０Ｂが回転方向転換歯車機構６０Ｃを介して回転出力軸１３ＡＸに結合されている。
【００７３】
ターンテーブル６０Ａは円板状天板６０Ａ１の周縁部６０Ａ２が下方に折れ曲がり、当該周縁部６０Ａ２と中心位置に設けられた軸支部６０Ａ３との間に装架された回転軸６０Ａ４１及び６０Ａ４２に押圧力付与用回転ローラ６０Ａ５１及び６０Ａ５２が回転自在に設けられている。
【００７４】
以上の構成において、減速室１３Ｘの出力軸１３ＡＸが回転したとき、その回転力は互いに歯合する傘型歯車６１A及び６１Bを介してターンテーブル６０Ａの回転軸６０Ｂに伝達される。
【００７５】
そこでユーザは、ケース１１Ｘの根本部を把持してターンテーブル６０Ａの押圧力付与用回転ローラ６０Ａ５１及び６０Ａ５２をマッサージ対象部位に押し付けることにより、押圧力付与用回転ローラ６０Ａ５１及び６０Ａ５２が当該マッサージ対象部位を押圧しながらターンテーブル６０Ａが矢印ｄ１方向に回転するのに応じて矢印ｄ２で示す方向に回転する。
【００７６】
これにより、押圧力付与用回転ローラ６０Ａ５１及び６０Ａ５２は、当該マッサージ対象部位の表面に円軌道を描いて擦るようにローラマッサージを行う。
【００７７】
かくして押圧部本体３ＡＸ及び３ＢＸはマッサージ対象部位の所定の広さをローラマッサージすることができ、そのマッサージ強さは、ユーザがターンテーブル６０Ａの押し付け強さを加減することにより、必要に応じて細かく調整することができる。
【００７８】
（５−２）第５の実施の形態の変形例
図１８（Ａ）は図１７のターンテーブル６０Ａの変形例を示すもので、図１７との対応部分に同一符号を付して示すように、ターンテーブル６０Ａの周縁部６２Ａ２によって囲まれる天板６０Ａ１上に、９０〔°〕の角等間隔を保つ位置に、４つの玉型ローラ６２Ａ〜６２Ｄが装着部材６４によって回転自在に装着されている。
【００７９】
図１８（Ａ）の構成において、ユーザがターンテーブル６０Ａの４つの玉型ローラ６２Ａ〜６２Ｄをマッサージ対象部位に当接させた状態においてターンテーブル６０Ａを矢印ｄ１で示す方向に回転させたとき、各玉型ローラ６２Ａ〜６２Ｄはターンテーブル６０Ａの回転に応じて矢印ｄ３で示す方向に転接しながら回転する。
【００８０】
かくして押圧機構部６０は、玉型ローラ６２Ａ〜６２Ｄの相互間の間隔によって決まる円の大きさについて玉状の押圧力を与えることができることにより、押圧部本体３ＡＸ及び３ＢＸはマッサージ対象部位に対して所定の面の広がりを持ちながらローラマッサージ効果を得ることができる。
【００８１】
図１８（Ｂ）はさらに他の実施の形態を示し、この場合の押圧機構部６０は、ターンテーブル６０Ａの天板６０Ａ１上に、等角間隔を保つように３つの凹凸面型ローラ６５Ａ〜６５Ｃが設けられている。
【００８２】
凹凸面型ローラ６５Ａ〜６５Ｃは外表面に凹凸面６６を形成してなる円板をターンテーブル６０Ａの中心位置に設けられた軸支部６７と周縁部６０Ａ２間に装架された回転軸６８Ａ〜６８Ｃに回転自在に装着されている。
【００８３】
以上の構成において、ユーザが押圧回転機構部６０をマッサージ対象部位に押し付けた状態でターンテーブル６０Ａを矢印ｄ１の方向に回転させると、３つの凹凸面型ローラ６５Ａ〜６５Ｃがマッサージ対象部位に当接しながら矢印ｄ４で示す方向に回転する。
【００８４】
この時、３つの凹凸面型ローラ６５Ａ〜６５Ｃはその凹凸面６６をマッサージ対象部位に転接させながら押圧力を与えることにより、マッサージ対象部位に対して時間の経過に従って強弱を伴いながら押圧力を与える。
【００８５】
かくして図１８（Ｂ）の構成によれば、ターンテーブル６０Ａの回転に応じて所定の範囲について強弱を繰り返すようなローラ押圧マッサージ効果を得ることができる。
【００８６】
図１８（Ｃ）はさらに他の実施の形態を示すもので、この場合の押圧機構部６０は、ターンテーブル６０Ａの天板６０Ａ１上に、９０〔°〕の角等間隔を保つように４つの山型ローラ７０Ａ〜７０Ｄが設けられている。
【００８７】
当該山型ローラ７０Ａ〜７０Ｄは円板の外表面に１本の山型隆起７１を有する。
【００８８】
４つの山型ローラ７０Ａ〜７０Ｄは、ターンテーブル６０Ａの中心位置に設けられた軸支部７２とターンテーブル６０Ａの周縁部６０Ａ２との間に装架された回転軸７２Ａ〜７２Ｄに回転自在に装着され、これによりユーザが山型ローラ７０Ａ〜７０Ｄをマッサージ対象部位に押し付けた状態でターンテーブル６０Ａを回転させたとき、山型ローラ７０Ａ〜７０Ｄが矢印ｄ５で示す方向に回転することにより、マッサージ対象部位に対して、円板の円周面によるローラマッサージ効果に加えて、山型隆起７１による押圧マッサージ効果を実現する。
【００８９】
この実施の形態の場合、山型隆起７１は、相対向する２つの山型ローラ７０Ａ及び７０Ｃにおいては回転軸７２Ａ及び７２Ｃに沿う方向に形成され、これにより山型ローラ７０Ａ及び７０Ｃが回転したとき、回転軸７２Ａ及び７２Ｃの方向に沿った押圧力をマッサージ対象部位に与える。
【００９０】
これに対して他の一対の山型ローラ７０Ｂ及び７０Ｄには回転軸７２Ｂ及び７２Ｄとは直交する方向に山型隆起７２が形成されており、これによりターンテーブル６０Ａが回転したとき、これら２つの山型ローラ７０Ｂ及び７０Ｄが回転軸７２Ｂ及び７２Ｄとは直交する方向に押圧軌跡を持つ様な押圧力をマッサージ対象部位に与える。
【００９１】
図１８（Ｃ）の構成によれば、ターンテーブル６０Ａの回転に応じて、マッサージ対象部位の所定の範囲の表面に対して、ターンテーブル６０Ａの回転に従って特異な押圧力をマッサージ対象部位に与えることができるようなマッサージ効果を得ることができる。
【００９２】
（６）第６の実施の形態
（６−１）全体構成
図１９は第６の実施の形態を示すもので、図１６との対応部分に同一符号を付して示すように、電池室３１Ｘ、モータ室１２Ｘ及び減速室１３Ｘにおいて生成された出力軸１３ＡＸの回転出力は、押圧動作室１４Ｘにおいて押圧機構部６０に与えられる。
【００９３】
出力軸１３ＡＸの先端には連結歯車７５が固着されてこの連結歯車７５がケース１１Ｘ内に設けられているケース基台７６に軸支されている連結歯車７５Ｂを回転することにより、ケース基台７６からケース１１Ｘの突出開口１１ＢＸに突出する出力歯車７５Ｃ（連結歯車７５Ｂの中心軸上に形成されている）を回転させる。
【００９４】
出力歯車７５Ｃは、突出開口１１ＢＸを閉塞するように設けられた出力基板７７に軸支された４つのマッサージ部材７８Ａ〜７８Ｄを回転駆動する。
【００９５】
この実施の形態の場合、マッサージ部材７８Ａ〜７８Ｄは、図２０に示すように、円形の出力基板７７の表面において９０〔°〕の角間隔を保つ位置に回転自在に軸支された駆動歯車７９Ａ〜７９Ｃの回転軸８０Ａ〜８０Ｃにゴム材料でなる円板状の押圧材Ｋ１をそれぞれ固着させた構成を有し、その表面に形成させた４つの突子Ｋ２をマッサージ対象部材に当接させるようになされている。
【００９６】
この実施の形態の場合、４つのマッサージ部材７８Ａ〜７８Ｄの駆動歯車７９Ａは連結歯車７５Ｂと一体の出力歯車７５Ｃに対して４方からかみ合うように位置決めされており、これにより４つのマッサージ部材７８Ａ〜７８Ｄが出力軸１３ＡＸの回転に応じて矢印ｆ１で示す方向に回転する。
【００９７】
以上の構成によれば、ユーザがケース１１Ｘを手に持って出力基板７７上に配設されたマッサージ部材７８Ａ〜７８Ｄの突子７９Ｄをマッサージ対象部位に押し当てて出力軸１３ＡＸを回転させれば、マッサージ部材７８Ａ〜７８Ｄの突子７９Ｄが矢印ｆ１の方向に回転することにより、当該マッサージ対象部位の面部分を多数の突子７９Ｄによって押圧回転しながら当該面部分のマッサージ効果を実現できる。
【００９８】
（６−２）第６の実施の形態の変形例
図２１（Ａ）は図１９及び図２０の変形例を示すもので、図２０との対応部分に同一符号を付して示す。
【００９９】
この場合の押圧機構部６０は出力基板７７上の１８０〔°〕の角間隔を保つ位置に、多孔質材料でなる円板状押圧部材８１Ａ及び８１Ｂの中心位置に突子８２を突出させた構成を有する。
【０１００】
以上の構成によれば、ユーザは出力基板７７の押圧部材８１Ａ及び８１Ｂをマッサージ対象部位に押圧することにより、押圧部材８１Ａ及び８１Ｂ並びに突子８２によって多孔質部材によって得られる柔かい感触のマッサージを当該マッサージ対象部位に与えることができる。
【０１０１】
図２１（Ｂ）はさらに他の変形例を示すもので、この場合の押圧機構部６０は出力基板７７上の７２〔°〕の角等間隔を保った位置に、５つの押圧部材８３Ａ〜８３Ｆを配設した構成を有する。
【０１０２】
この場合の押圧部材８３Ａ〜８３Ｆは、合成樹脂材料でなる円板状の基台８４上にブラシ８５を植立した構成を有する。
【０１０３】
かかる構成によれば、ユーザはブラシ型の押圧部材８３Ａ〜８３Ｆをマッサージ対象部位に押圧することにより、当該ブラシの柔かさを持った感覚でマッサージ対象部位に対するマッサージ効果を実現できる。
【０１０４】
（７）第７の実施の形態
（７−１）全体の構成
図２２は第７の実施の形態を示すもので、図６との対応部分に同一符号を付して示すように、ケース１１に設けられた電池室３１、モータ室１２及び減速室１３から導出される出力軸２３Ａにマッサージ回転盤９０を固着した構成を有する。
【０１０５】
マッサージ回転盤９０は、図２３（Ａ）に示すように、出力軸２３Ａを中心位置から偏心した位置に固着してなる円板によって構成されている。
【０１０６】
図２２及び図２３（Ａ）の構成において、マッサージ回転盤９０は、出力軸２３Ａと一体に回転することにより、その外周面が横方向に偏心動作をする。
【０１０７】
ユーザはケース１１を手に持ってマッサージ回転盤９０の外周面をマッサージ対象部位に押し付ける。
【０１０８】
その結果、マッサージ回転盤９０の外周面は、最も偏心量が多い外周面が押し当てられているとき、当該マッサージ対象部位に強い押圧力を与えるのに対して、マッサージ回転盤９０が回転することにより出力軸２３Ａからの偏心量が小さい外周面部分が押し当てられる状態になると、当該偏心量が小さくなった分弱い押圧力でマッサージ対象部位を押圧する。
【０１０９】
かくして図２２及び図２３（Ａ）の押圧部本体３Ａ及び３Ｂによれば、マッサージ回転盤９０による押圧力が変化することにより擦りながら押すようなマッサージ効果を与えることができる。
【０１１０】
その変形例として、図２３（Ｂ）に示すように、マッサージ回転盤９０に対して、出力軸２３Ａと同軸上に、外周面に振動質量でなる振動発生部材ｘ１を付してなる振動歯車９１Ａを取り付けることにより、出力軸２３Ａの回転に応じてマッサージ回転盤９０に振動を与え、これにより振動マッサージ効果をも付加するようにしてもよい。
【０１１１】
この場合外周面に振動質量を設けた振動歯車９１Ａに変えて、図２３（Ｃ）に示すように、振動歯車９１Ｂの側面外周縁に振動発生用の質量部材ｘ２を設けた縦型の振動歯車を用いても、同様の効果が得られる。
【０１１２】
（７−２）第７の実施の形態の変形例
図２４（Ａ）〜（Ｃ）は第７の実施の形態の変形例を示す。
【０１１３】
図２４（Ａ）のマッサージ回転盤９０Ａは、出力軸２３Ａを中心として、９０〔°〕の等角間隔で周縁部に４段隆起部９０Ａ１を有する４段隆起型のマッサージ回転盤９０Ａを用いたものである。
【０１１４】
図２４（Ａ）の構成によれば、ユーザはマッサージ回転盤９０Ａをマッサージ対象部位に押し付けるような操作をすれば、４段隆起部９０Ａ１が押し付けられる毎に間欠的に強い押圧力を与えることができることにより、マッサージ効果を得ることができる。
【０１１５】
図２４（Ｂ）の場合のマッサージ回転盤９０Ｂは、出力軸２３Ａを中心として、ほぼ１８０〔°〕の角範囲に１／２隆起部９０Ｂ１を有する。
【０１１６】
図２４（Ｂ）の構成によれば、ユーザはマッサージ回転盤９０Ｂをマッサージ対象部位に押し当てれば、１／２隆起部９０Ｂ１によって当該マッサージ対象部位に強い押圧力を与えることができるのに対して、１／２隆起部９０Ｂ１から外れた他の範囲においては弱い押圧力しか与えない状態になる。
【０１１７】
かくしてマッサージ対象部位に対して間欠的に押圧力が与えられることにより、マッサージ効果を得ることができる。
【０１１８】
図２４（Ｃ）は外周面部に振動発生用要素を構成する細かい凹凸部隆起部でなる振動隆起部９０Ｃ１を形成したものである。
【０１１９】
図２４（Ｃ）の構成によれば、ユーザがマッサージ回転盤９０Ｃをマッサージ対象部位に押し当てれば、振動隆起部９０Ｃ１の周側面のうち隆起が大きい部分に当接すれば強い押圧力が与えられるのに対して、すぐに小さい隆起部分が交互に続くので、マッサージ対象部位に対して細かい押圧力によるマッサージ効果を与えることができる。
【０１２０】
これに加えてマッサージ回転盤９０Ｃが回転する際に出力軸２３Ａに当該回転により生ずる振動が与えられることにより、全体としてマッサージ回転盤９０Ｃによって振動型のマッサージ効果を与えることができる。
【０１２１】
（８）第８の実施の形態
図２５は第８の実施の形態を示すもので、図１４との対応部分に同一符号を付して示すように、押圧力形成用プーリ５２を固着してなる回転軸５１に対して振動発生用歯車９５を、回転軸５１の延長方向に摺動自在でかつ回転軸５１と一体に回転できるように、回転軸５１上に装着されている。
【０１２２】
振動発生用歯車９５には、回転軸５１の延長方向の両端を挟むように摺動操作子９６が配設され、当該摺動操作子９６をケース１１に設けられている操作透孔９７を介して摺動操作子９６を矢印ｈ１に示す方向に摺動操作することにより、振動発生用歯車９５を実線図示の原位置Ｐ１から破線図示の振動発生位置Ｐ２に摺動させることができるようになされている。
【０１２３】
振動発生位置Ｐ２には、ケース１１から突出するように干渉ピン９８が設けられ、振動発生用歯車９５が振動発生位置Ｐ２に摺動されたとき、振動発生用歯車９５の歯の部分に干渉ピン９８が干渉することにより、回転軸５１が回転したとき、振動発生用歯車９５に干渉ピン９８が干渉することにより、回転軸５１に細かい振動が与えられる。
【０１２４】
図２５の構成において、振動発生用歯車９５が原位置Ｐ１にあるとき、回転軸５１と一体に回転する振動発生用歯車９５は干渉ピン９８とは干渉しないので、回転軸５１には振動が与えられない。
【０１２５】
このとき押圧力形成用プーリ５２は回転軸５１と一体に回転することにより、保持部材５５を介して押圧部材５４を突出開口１１Ｂ突き出したり引っ込んだりすることにより、マッサージ対象部位に対するマッサージ効果を与える。
【０１２６】
このマッサージ効果を与えているときに、ユーザが摺動操作子９６によって振動発生用歯車９５を干渉ピン９８と干渉させる振動発生位置Ｐ２に摺動させると、振動発生用歯車９５と干渉ピン９８との干渉によって回転軸５１に振動を生じさせる。
【０１２７】
従ってこのとき押圧部材５４によってマッサージ対象部位に押圧力を与えながらこれと同時に細かい振動を与えることができるようなマッサージ効果が得られる。
【０１２８】
図２５の構成によれば、振動マッサージを付与するか否かを選択できることにより、一段と大きなマッサージ効果を得ることができる。
【０１２９】
（９）他の実施の形態
（９−１）
上述の実施の形態において、出力軸１３Ａに回転出力を得るためのモータとしては、直流モータ又は交流モータのいずれを適用してもよく、又その回転方向も必要に応じて切り換えることができるようにしてもよい。
【０１３０】
（９−２）
図２６（Ａ）は他の実施の形態を示すもので、図１７との対応部分に同一符号を付して示すように、ターンテーブル矢印ｄ１の方向に回転する（これを公転と呼ぶ）ターンテーブル６０Ａ上に５つのマッサージ素材１０１Ａ〜１０１Ｄが矢印ｄ１で示すようにターンテーブル６０Ａ上で回転する（これを自転と呼ぶ）を行うようになされている。
【０１３１】
このターンテーブル６０Ａの公転及びマッサージ素材１０１Ａ〜１０１Ｅの自転は、回転方向変換歯車機構６０Ｃの歯車部材を組み合せることにより実現される。
【０１３２】
図２６（Ａ）の構成によれば、ターンテーブル６０Ａ上に設けられたマッサージ素材が公転及び自転をすることにより、マッサージ対象部位をターンテーブル６０Ａの回転範囲に対して面状のマッサージ効果を付与することができる。
【０１３３】
図２６（Ｂ）の場合は、ターンテーブル６０Ａの天板６０Ａ１に十字上にマッサージ素材１０２を突出配列させた構成を有する。
【０１３４】
かくして図２６（Ｂ）の構成によれば、ターンテーブル６０Ａの回転に従って十字上に配設されたマッサージ素材１０２によって平面的なマッサージ効果を得ることができる。
【０１３５】
図２６（Ｃ）の場合は、５つの突上のマッサージ素材１０３Ａ〜１０３Ｅを矢印ｄ２で示すように自転させる。
【０１３６】
かくして図２６（Ｃ）の構成によれば、ターンテーブル６０Ａの公転動作と５つのマッサージ素材の自転動作とによってマッサージ対象部位に対して面的なマッサージ効果を与える。
【０１３７】
図２６Ｂの場合は、ターンテーブル２０Ａ上領域に８つの小さい突出マッサージ素材１０３Ａが設けられていると共に、その外周位置に大きいときのマッサージ素材１０３Ｂが形成されている。
【０１３８】
図２６（Ｄ）の構成によれば、ターンテーブル６０Ａを回転によって大きいとき配列１０３Ｄと小さいときの配列１０３Ａによってターンテーブル６０Ａの表面において２種類の面マッサージ効果を与えることができる。
【０１３９】
図２６（Ｅ）はターンテーブル６０Ａの表面に大きな突起のマッサージ素材１０４Ａとブラシ素材１０４Ｂとを設ける。
【０１４０】
図２６（Ｅ）の構成によれば、ターンテーブル６０Ａの回転に応じて大きい突状のマッサージ素材１０４Ａとブラシ状のマッサージ素材１０４Ｂを交互にマッサージするようなマッサージ効果が得られる。
【０１４１】
図２６（Ｆ）の場合はターンテーブル６０Ａの中央部分に円環状にブラシ素材１０４Ａを形成すると共に、その外側部分に２つの大きな突状形状を有する突起素材１０４Ｂを形成する。
【０１４２】
かくして図２６（Ｆ）の構成によれば、ターンテーブル６０Ａの回転に応じてブラシ素材１０４Ａによる柔かいマッサージと、大きい突状形状の突起素材１０４Ｂによって面状のマッサージ効果を与えることができる。
【０１４３】
図２６（Ｇ）の場合は、ターンテーブル６０Ａの天板６０Ａ１上に大きい突状形状のマッサージ素材と小さい突状形状のマッサージ素材１０５Ｂを設けるかくして２種類の突状形状のマッサージ素材１０５Ａ及び１０５Ｂによって２種類のマッサージ効果を与えることができる。
【０１４４】
図２６（Ｉ）の場合は、ターンテーブル６０Ａの天板６０Ａ１の変換上位置に大きい突状形状のマッサージ素材１０５Ａを設けると共に、その間に小さい突状形状の２つのマッサージ素材１０５Ｂとを設ける。
【０１４５】
かくして図２６（Ｉ）の構成によれば、ターンテーブル６０Ａの回転に応じて大小の突状のマッサージ素材１０５Ａ及び１０５Ｂによってマッサージ対象部位に対して交互に強弱の異なるマッサージ効果を与えることができる。
【０１４６】
図２６（Ｊ）はターンテーブル６０Ａ上に１つの大きな筒状形状のマッサージ素材１０６を形成し、または図２６（Ｋ）の場合は大きな突状形状を持つ２つのマッサージ素材１０７を形成する。
【０１４７】
図２６（Ｊ）及び（Ｋ）の構成によれば、ターンテーブル６０Ａの回転に応じてマッサージ対象部位に対して間欠的なマッサージ効果を与えることができる。
【産業上の利用可能性】
【０１４８】
本発発明のマッサージ装置は、家庭用装置として用いることができる。
【符号の説明】
【０１４９】
１……マッサージ装置、２……装着ベルト、３Ａ、３Ｂ……押圧部本体、１１……ケース、１２……モータ室、１３……減速室、１３Ａ……出力軸、１４……押圧動作室、２２……カバー層材、２３……押圧突出部、１１Ａ……側面板部、１１Ｂ……突出開口、１６……偏心回転盤部、３１Ａ、３１Ｂ……横型振動歯車、３２……縦型振動歯車、３５……偏心回転機構、３６……偏心変換部材、３７……偏心連結軸、３９……偏心円板部材、４０……押圧動作部、４１……突出押圧部、４２……偏心回転部材、４３……係合孔、５０……押圧動作部、５１……回転軸、５４……押圧部材、５５……保持部材、６０……押圧機構部、６０Ｂ……回転軸、６０Ａ５１、６０Ａ５２……押圧力付与用回転ローラ、６０Ａ……ターンテーブル、６０Ａ１……天板、６０Ａ２……周縁部、７８Ａないし７８Ｄ……マッサージ部材、９０……マッサージ回転盤、９５……振動発生用歯車、９８……干渉ピン、９６……摺動操作子。
【図１】
2015000163.tif 000003
【図２】
2015000163.tif 000004
【図３】
2015000163.tif 000005
【図４】
2015000163.tif 000006
【図５】
2015000163.tif 000007
【図６】
2015000163.tif 000008
【図７】
2015000163.tif 000009
【図８】
2015000163.tif 000010
【図９】
2015000163.tif 000011
【図１０】
2015000163.tif 000012
【図１１】
2015000163.tif 000013
【図１２】
2015000163.tif 000014
【図１３】
2015000163.tif 000015
【図１４】
2015000163.tif 000016
【図１５】
2015000163.tif 000017
【図１６】
2015000163.tif 000018
【図１７】
2015000163.tif 000019
【図１８】
2015000163.tif 000020
【図１９】
2015000163.tif 000021
【図２０】
2015000163.tif 000022
【図２１】
2015000163.tif 000023
【図２２】
2015000163.tif 000024
【図２３】
2015000163.tif 000025
【図２４】
2015000163.tif 000026
【図２５】
2015000163.tif 000027
【図２６】
2015000163.tif 000028